(57)【要約】      （修正有）【課題】取り付け作業を極めて容易に行うことができ、かつ、放熱による熱損失をも著しく低減することができるテープ状電熱ヒーターを提供する。【解決手段】配管を加熱するために使用するテープ状電熱ヒーターＡであって、該電熱ヒーターＡが、ヒーター線１と、該ヒーター線１をその中に含む長手方向に袋状の部分３を有する布帛２とを備え、ここで、該布帛２が、ヒーター線１を含む袋状の部分３と、該袋状の部分３の長手方向に略平行かつ一体的に設けられた覆い部分４とを備え、かつ、布帛２のヒーター線１を含む袋状の部分３の短手方向の寸法ｘと、布帛２の覆い部分４の短手方向の寸法ｙとの比が、１．０：０．８〜１．５であり、かつ、該布帛２が杉綾織で形成されている。【選択図】図１
0003213482.tif 000002
【実用新案登録請求の範囲】
【請求項１】
配管を加熱するために使用するテープ状電熱ヒーター（Ａ）であって、該電熱ヒーター（Ａ）が、ヒーター線（１）と、該ヒーター線（１）をその中に含む長手方向に袋状の部分（３）を有する布帛（２）とを備え、ここで、該布帛（２）が、上記ヒーター線（１）を含む袋状の部分（３）と、該袋状の部分（３）の長手方向に略平行かつ一体的に設けられた覆い部分（４）とを備え、かつ、上記布帛（２）のヒーター線（１）を含む袋状の部分（３）の短手方向の寸法（ｘ）と、上記布帛（２）の覆い部分（４）の短手方向の寸法（ｙ）との比が、１．０：０．８〜１．５であり、かつ、該布帛（２）が杉綾織で形成されている、テープ状電熱ヒーター。
【請求項２】
上記布帛（２）のヒーター線（１）を含む袋状の部分（３）の短手方向の寸法（ｘ）と、上記布帛（２）の覆い部分（４）の短手方向の寸法（ｙ）とが略同一である、請求項１記載のテープ状電熱ヒーター。
【請求項３】
上記布帛（２）のヒーター線（１）を含む袋状の部分（３）の短手方向の寸法（ｘ）が、１８〜３２ｍｍである、請求項１又は２記載のテープ状電熱ヒーター。
【請求項４】
上記布帛（２）のヒーター線（１）を含む袋状の部分（３）の短手方向の寸法（ｘ）が、略２０ｍｍ又は略３０ｍｍである、請求項１又は２記載のテープ状電熱ヒーター。
【請求項５】
上記布帛（２）の杉綾織のＶ字形の境界部分が、袋状の部分（３）と覆い部分（４）との境界近傍、及び、袋状の部分（３）の布帛折り返し部分近傍に存在する、請求項１〜４のいずれか一つに記載のテープ状電熱ヒーター。
【請求項６】
半導体装置用の、請求項１〜５のいずれか一つに記載のテープ状電熱ヒーター。
【考案の詳細な説明】
【技術分野】
【０００１】
本考案は、テープ状電熱ヒーター（リボンヒーター）に関し、更に詳しくは、配管を加熱するために使用するテープ状電熱ヒーターに関する。
【背景技術】
【０００２】
一般的な市販品では、テープ状電熱ヒーター（リボンヒーター）の発熱面はテープ全幅と同一であり、即ち、テープ状電熱ヒーターの全幅に亘ってヒーター線が備えられており、該ヒーターの幅方向（短手方向）の寸法は、およそ２０〜１００ｍｍである。利用者は、これらの寸法の中から、配管の取り付け箇所、加熱温度等の条件により、適宜選択して使用している。テープ状電熱ヒーターを配管に取り付ける際には、通常、配管の長さ方向にヒーターを沿わせて、配管を抱くようにして巻き付けるか、又は、テープ状電熱ヒーターを配管にスパイラル状にぐるぐると巻き付けて、いずれも該ヒーターを留め具で固定して使用している。しかし、これらの方法では、ヒーターとヒーターとの合わせ目に隙間を生じ易く、放熱を生じることが多々あり、また、ヒーターが緩み易いという問題もあった。また、これらの市販品では、細い配管に巻き付けて取り付けることが容易ではなく、通常、２個のテープ状電熱ヒーターを使用して、配管の長さ方向に配管をサンドイッチ状に挟んで、これを留め具、例えば、紐状の留め具で固定して使用しているのが現状である。このような方法では、２個のヒーターの間に数多くの隙間が生じて多大な放熱が生じ、全く効率的ではない。加えて、配管の途中にバルブ、エルボ、継手、その他計装機器等が存在すると、取り付け難く、かつ、更なる放熱の問題が生ずる。従って、テープ状電熱ヒーターを取り付けた後に放熱を防止すべく、更に、その上から断熱材を取り付ける等の施策が必要なこともある。
【０００３】
このようなテープ状電熱ヒーター（リボンヒーター）としては、例えば、長尺状の耐熱絶縁性布状体に撚り線状の導電体を有する発熱体を設けたヒーター基体を、耐熱絶縁性布状体に常温で可塑性を有する樹脂を含浸させた可撓性耐熱絶縁シートで包み込んだことを特徴とするリボンヒーターが知られている（特許文献１）。また、上記問題を解決すべく、シート状の基材、該基材の表面又はその近傍に配列されたヒーター線、及びこれらを収納するヒーターカバーを備える加熱部と、断熱材及びこれを収納する断熱材カバーを備える保温部とを有する電熱ヒーターにおいて、前記加熱部が、切り込み可能な切込部を備えていることを特徴とする電熱ヒーター（特許文献２）、及び、配管を加熱するために使用するテープ状の電熱ヒーターであって、幅方向にヒーター線を含む加熱帯とヒーター線を含まない非加熱帯とに区分され、前記非加熱帯が、切り込み可能であることを特徴とする電熱ヒーター（特許文献３）等が提案されている。これらの電熱ヒーターは、加熱部又は非加熱部に切り込みを入れられるように工夫することにより、配管等の加熱部に容易に取り付け可能であり、かつ、放熱等を効果的に回避し得るものである。しかし、これで十分というものではなかった。
【先行技術文献】
【特許文献】
【０００４】
【特許文献１】実開平７−１８３９６号公報
【特許文献２】特開２００９−１９９９６７号公報
【特許文献３】特開２００９−２７０６６１号公報
【考案の概要】
【考案が解決しようとする課題】
【０００５】
本考案は、取り付け作業を極めて容易に行うことができ、かつ、放熱による熱損失をも著しく低減することができるテープ状電熱ヒーター（リボンヒーター）を提供するものである。
【課題を解決するための手段】
【０００６】
本考案者は、如何にすれば上記課題を解決し得るかについて鋭意検討を続けた。その結果、従来のテープ状電熱ヒーターのように、その全幅に亘ってヒーター線を設けるのではなく、ヒーター線を、長手方向に袋状の布帛部分、即ち、加熱部分に収納し、かつ、該加熱部分の長手方向に略平行に沿わせて、所定幅、好ましくは略同一幅の布帛部分、即ち、覆い部分を一体的に設け、かつ、該布帛を下記所定の織り方にすれば、テープ状電熱ヒーターを配管に取り付ける際に、全体に柔軟性が生じて、取り付け易いと共に、取り付け後、配管に良好に密着して緩み等が生じないばかりか、覆い部分により加熱部分を十分に覆うことができて、著しく放熱を低減し得ることを見出し、本考案を完成した。
【０００７】
即ち、本考案は、
（１）配管を加熱するために使用するテープ状電熱ヒーター（Ａ）であって、該電熱ヒーター（Ａ）が、ヒーター線（１）と、該ヒーター線（１）をその中に含む長手方向に袋状の部分（３）を有する布帛（２）とを備え、ここで、該布帛（２）が、上記ヒーター線（１）を含む袋状の部分（３）と、該袋状の部分（３）の長手方向に略平行かつ一体的に設けられた覆い部分（４）とを備え、かつ、上記布帛（２）のヒーター線（１）を含む袋状の部分（３）の短手方向の寸法（ｘ）と、上記布帛（２）の覆い部分（４）の短手方向の寸法（ｙ）との比が、１．０：０．８〜１．５であり、かつ、該布帛（２）が杉綾織で形成されている、テープ状電熱ヒーターである。
【０００８】
好ましい態様として、
（２）上記布帛（２）のヒーター線（１）を含む袋状の部分（３）の短手方向の寸法（ｘ）と、上記布帛（２）の覆い部分（４）の短手方向の寸法（ｙ）との比が、１．０：０．９〜１．２である、上記（１）記載のテープ状電熱ヒーター
（３）上記布帛（２）のヒーター線（１）を含む袋状の部分（３）の短手方向の寸法（ｘ）と、上記布帛（２）の覆い部分（４）の短手方向の寸法（ｙ）との比が、１．０：１．０〜１．１である、上記（１）記載のテープ状電熱ヒーター
（４）上記布帛（２）のヒーター線（１）を含む袋状の部分（３）の短手方向の寸法（ｘ）と、上記布帛（２）の覆い部分（４）の短手方向の寸法（ｙ）とが略同一である、上記（１）記載のテープ状電熱ヒーター
（５）上記布帛（２）のヒーター線（１）を含む袋状の部分（３）の短手方向の寸法（ｘ）が、１８〜３２ｍｍである、上記（１）〜（４）のいずれか一つに記載のテープ状電熱ヒーター、
（６）上記布帛（２）のヒーター線（１）を含む袋状の部分（３）の短手方向の寸法（ｘ）が、略２０ｍｍ又は略３０ｍｍである、上記（１）〜（４）のいずれか一つに記載のテープ状電熱ヒーター、
（７）上記布帛（２）が、ガラス繊維及びシリカ繊維より成る群から選ばれる繊維により形成される、上記（１）〜（６）のいずれか一つに記載のテープ状電熱ヒーター、
（８）上記布帛（２）の杉綾織のＶ字形の境界部分が、袋状の部分（３）と覆い部分（４）との境界近傍、及び、袋状の部分（３）の布帛折り返し部分近傍に存在する、上記（１）〜（６）のいずれか一つに記載のテープ状電熱ヒーター、
（９）半導体装置用の、上記（１）〜（８）のいずれか一つに記載のテープ状電熱ヒーター
を挙げることができる。
【考案の効果】
【０００９】
本考案のテープ状電熱ヒーター（リボンヒーター）は、ヒーター線を含む袋状の布帛部分、即ち、発熱部分に沿わせて、所定幅、好ましくは、発熱部分と略同一幅の布帛部分、即ち、覆い部分（非発熱部分）を一体的に設けていることから、配管の長さ方向にヒーターを沿わせて、配管を抱くようにして巻き付ける場合、及び、配管にヒーターをスパイラル状にぐるぐると巻き付ける場合のいずれにおいても、発熱部分を非発熱部分が覆うようにして重なり合って、配管が露出することが全くなく、かつ、発熱部分が露出することも殆どないことから、効果的に放熱を回避することができ、かつ、このような非発熱部分を有することに加えて、ヒーターを構成する布帛が杉綾織で形成されていることから、ヒーター全体が柔軟性を備えており、そして従って、巻き付け作業が極めて容易になるばかりではなく、一旦巻き付けたヒーターが緩んで、ヒーターと配管との間に隙間を形成して放熱が生ずることも全くない。
【図面の簡単な説明】
【００１０】
【図１】図１は、本考案のテープ状電熱ヒーター（リボンヒーター）を示した概略図である。
【図２】図２は、本考案のテープ状電熱ヒーター（リボンヒーター）を構成する杉綾織の布帛の外観を模式的に示した図である。
【図３】図３は、本考案のテープ状電熱ヒーター（リボンヒーター）を配管に巻き付けた際の状態を示した概略図である。
【図４】図４は、ヒーター用留め金具の一実施態様を示した概略図である。
【考案を実施するための形態】
【００１１】
本考案のテープ状電熱ヒーター（リボンヒーター）は、主として配管を加熱するために使用される。以下、該テープ状電熱ヒーターの一実施態様を、図１を参照して説明する。本考案のテープ状電熱ヒーター（Ａ）は、ヒーター線（１）と、ヒーター線（１）をその中に含む長手方向（長さ方向）に袋状の部分（３）を有する布帛（２）とを備える。ここで、布帛（２）は、ヒーター線（１）を含む袋状の部分（３）と、覆い部分（４）、好ましくは、袋状になっていない一枚の布帛部分とを、短手方向（幅方向）に上下に区分されて備え、かつ、これら、ヒーター線を含む袋状の部分（３）と、覆い部分（４）とは、長手方向に略平行かつ一体的に備えられている。
【００１２】
上記布帛（２）のヒーター線（１）を含む袋状の部分（３）の短手方向の寸法（ｘ）と、上記布帛（２）の覆い部分（４）の短手方向の寸法（ｙ）との比は、１．０：０．８〜１．５であり、好ましくは、１．０：０．９〜１．２であり、より好ましくは、１．０：１．０〜１．１であり、更に好ましくは、布帛（２）のヒーター線（１）を含む袋状の部分（３）の短手方向の寸法（ｘ）と、布帛（２）の覆い部分（４）の短手方向の寸法（ｙ）とが略同一である。覆い部分（４）の短手方向の寸法（ｙ）が、上記上限を超えては、不要な布帛部分の存在により、配管への巻き付け作業が却って面倒になることがあるばかりか、コスト高を招く。覆い部分（４）の短手方向の寸法（ｙ）が、上記下限未満では、配管に巻き付けた際に、布帛（２）のヒーター線（１）を含む袋状の部分（３）、即ち、発熱部分に、布帛（２）の覆い部分（４）、即ち、非発熱部分が十分に重なり合わないことがあり、配管が露出することがあり、また、加熱部分が露出することがあり、放熱を十分に回避することができないことがあるばかりか、熱効率も悪くなることがある。上記布帛（２）のヒーター線（１）を含む袋状の部分（３）の短手方向の寸法（ｘ）は、加熱又は保温する配管の径に依存し、その寸法（ｘ）に特に制限はないが、好ましくは１８〜３２ｍｍであり、より好ましくは略２０ｍｍ又は略３０ｍｍである。また、テープ状電熱ヒーター（Ａ）の長手方向の寸法（長さ）にも特に制限はないが、好ましくは１００〜４００ｃｍである。
【００１３】
上記の布帛（２）は、杉綾織により形成されている。また、布帛（２）の材質に特に制限はないが、ガラス繊維及びシリカ繊維より成る群から選ばれる繊維により形成されることが好ましい。繊維の材質として、いずれを使用するかは、主として、本考案のテープ状電熱ヒーター（Ａ）を使用する配管の加熱温度により決定される。通常、低温域ではガラス繊維製の布帛が使用され、高温域ではシリカ繊維製の布帛が使用される。もちろん、布帛（２）は、テープ状電熱ヒーター（Ａ）を構成するものである故、杉綾織で形成されたテープ状の布帛であることが好ましい。布帛（２）の厚さは、好ましくは０．１０〜０．４０ｍｍであり、通常０．２５ｍｍ程度である。
【００１４】
図２は、本考案のテープ状電熱ヒーター（Ａ）を構成する杉綾織の布帛（２）の外観を模式的に示した図である。図２では、杉綾織の形態をより分かり易く表すために黒色部分と白色部分とに分けて示した。実際のテープ状電熱ヒーター（Ａ）を作製するために使用される杉綾織の布帛（２）は、通常、白色系統の一色で構成されている。以下にテープ状電熱ヒーター（Ａ）を作製する手順の一例を示す。該作製手順及びテープ状電熱ヒーター（Ａ）の形態はあくまで一例であり、これに限定されるものではない。テープ状電熱ヒーター（Ａ）を作製するに際しては、予め、該布帛（２）の部分（ｂ）に、その長手方向にヒーター線（１）を据え付けて、部分（ａ）と部分（ｂ）との境界部分（ｅ）、即ち、布帛（２）の杉綾織のＶ字形の境界部分（ｅ）から布帛（２）の部分（ａ）を折り返して、ヒーター線（１）を据え付けた部分（ｂ）上に重ね合わせる。次いで、更に、部分（ｂ）と部分（ｃ）との境界部分（ｆ）、即ち、布帛（２）の杉綾織のＶ字形の境界部分（ｆ）から折り返して、部分（ａ）が部分（ｃ）と接触するように重ね合わせる。次いで、布帛（２）の部分（ｃ）と部分（ｄ）との境界部分（ｇ）、即ち、布帛（２）の杉綾織のＶ字形の境界部分（ｇ）近傍において、部分（ａ）、部分（ｂ）及び部分（ｃ）を、布帛（２）の長手方向かつ境界部分（ｇ）に略平行に糸を沿わして縫い合わせることにより袋状にして作製される。また、予め、ヒーター線（１）を据え付けずに、上記同様に縫い合わせて、縫い合わせ後に袋状の部分（３）にヒーター線（１）を挿入することもできる。
【００１５】
図３は、本考案のテープ状電熱ヒーター（リボンヒーター）を配管に巻き付けた際の状態を示した概略図である。図３の（Ｉ）は、配管（５）の長手方向（長さ方向）にテープ状電熱ヒーター（Ａ）の長手方向（長さ方向）を沿わせて、配管（５）を抱くようにして巻き付けたものである。図３の（Ｉ）においては、明確化のために布帛（２）の覆い部分（４）の一部を折り返した状態を示している。この場合、布帛（２）のヒーター線（１）を含む袋状の部分（３）の短手方向の寸法（ｘ）が、配管（５）の外周とほぼ一致しており、ヒーター線（１）を含む袋状の部分（３）を、配管（５）にぐるりと１周回して配管（５）の外周全体に巻き付け、その上から、布帛（２）の覆い部分（４）で袋状の部分（３）を覆ったものである。また、図３の（ＩＩ）は、テープ状電熱ヒーター（Ａ）を配管（５）にスパイラル状にぐるぐると巻き付けたものである。この場合、布帛（２）のヒーター線（１）を含む袋状の部分（３）の短手方向の寸法（ｘ）と、布帛（２）の覆い部分（４）の短手方向の寸法（ｙ）とが略同一であるであることから、ヒーター線（１）を含む袋状の部分（３）の上に、覆い部分（４）が丁度重なるように巻き付けて袋状の部分（３）をほぼ完全に覆ったものである。従って、図３の（ＩＩ）の右図では、布帛（２）の覆い部分（４）のみが見えており、袋状の部分（３）は覆い部分（４）の下側に隠れている。ここで、図３の（Ｉ）及び（ＩＩ）ともに、右側の図面は、配管（５）に巻き付けた状態を真横から見たものであり、左側の図面は、そのＸ−Ｘ’断面図である。上記（Ｉ）及び（ＩＩ）のいずれの場合にも、布帛（２）のヒーター線（１）を含む袋状の部分（３）は、布帛（２）の覆い部分（４）により覆われるようにして重ねあわされている。これにより、配管（５）からの放熱を効果的に回避することができて、かつ、極めて効率の良い加熱を実現することが可能である。また、上記のように該布帛（２）は杉綾織により形成されていることから、ヒーター全体が柔軟性を備えており、一旦巻き付けたヒーターが緩んで、ヒーターと配管との間に隙間を形成して放熱が生ずることも全くない。また、上記のようにして巻き付けたテープ状電熱ヒーター（Ａ）は、例えば、図４に示されている、実用新案登録第３２０８８４２号記載の、スプリング状のヒーター用留め金具（Ｂ）を使用することにより、簡便かつ確実に固定することができる。図４中、６は、コイルばねであり、７及び７’は、引手（持ち手）であり、ｐは、コイルばねのピッチである。留め金具（Ｂ）により、テープ状電熱ヒーター（Ａ）を配管に固定する方法は容易であり、留め金具（Ｂ）を構成するコイルばね（６）の任意の箇所（ピッチと称される間隔の箇所）を、配管に取り付けられたテープ状電熱ヒーター（Ａ）に挟み込むように装着し、次いで、コイルばね（６）の巻方向に該コイルばね（６）自体を配管の周方向に回転させることにより、容易に装着することができて、テープ状電熱ヒーター（Ａ）を固定することができる。また、配管が屈曲していてエルボ等が存在していても、本発明のテープ状電熱ヒーター（Ａ）を、配管に容易かつ良好に沿わせ又は巻き付けることができて、配管からの放熱等を効果的に防止することができる。
【産業上の利用可能性】
【００１６】
本考案のテープ状電熱ヒーター（リボンヒーター）は、効果的に放熱を回避することができ、かつ、巻き付け作業が極めて容易であるばかりではなく、一旦巻き付けたヒーターが緩んで、ヒーターと配管との間に隙間を形成して放熱が生ずることもないことから、種々の装置の配管用として、とりわけ、狭い空間に種々の径の配管が入り込んだ半導体装置用として、今後、大いに使用されることが期待される。
【符号の説明】
【００１７】
Ａ    本考案のテープ状電熱ヒーター
Ｂ    ヒーター用留め金具
１    ヒーター線
２    布帛
３    長手方向（長さ方向）に袋状の布帛部分
４    布帛の覆い部分
５    配管
６    コイルばね
７，７’  引手（持ち手）
ｐ    コイルばねのピッチ
ｘ    袋状の部分（３）の短手方向の寸法
ｙ    布帛の覆い部分（４）の短手方向の寸法
【図１】
0003213482.tif 000003
【図２】
0003213482.tif 000004
【図３】
0003213482.tif 000005
【図４】
0003213482.tif 000006